(57)【要約】【課題】機密文書の複写防止に関して、機密文書作成時の作業性、作成した機密文書の視認性、扱い安さなどを損なわず、また複写防止の対象としない他の一般文書の複写の作業性を損なわない、複写防止処理された情報記録媒体、複写防止方法および複写装置を提供する。【解決手段】可視情報が記録された媒体１の記録面全面または一部に、外部刺激により発色するフォトクロミック化合物を含有する発色層３が設けられたことを特徴とする。【選択図】図１
2005316303.tif 000002
【特許請求の範囲】
【請求項１】
可視情報が記録された媒体の記録面全面または一部に、外部刺激により発色する発色層が設けられたことを特徴とする複写防止処理された情報記録媒体。
【請求項２】
前記発色層は、フォトクロミック化合物を含有していることを特徴とする請求項１に記載の複写防止処理された情報記録媒体。
【請求項３】
前記外部刺激が紫外光であることを特徴とする請求項１または２に記載の複写防止処理された情報記録媒体。
【請求項４】
請求項１乃至３のいずれか一項に記載の複写防止処理された情報記録媒体について可視情報が読み取られる前に、外部刺激を加えて前記発色層を発色させることにより、該情報記録媒体に記録されている可視情報の複写を防止することを特徴とする複写防止方法。
【請求項５】
情報記録媒体の可視情報を読み取る情報読み取り部を備え、該情報読み取り部の読み取り情報に基づいて複写を行なう複写装置において、
前記情報記録媒体に外部刺激を加える外部刺激印加部を備え、請求項１乃至３のいずれか一項に記載の複写防止処理された情報記録媒体について前記情報読み取り部が可視情報を読み取る前に、前記外部刺激印加部が外部刺激を加えて発色層を発色させることを特徴とする複写装置。
【請求項６】
前記外部刺激印加部は、紫外線照射手段を有することを特徴とする請求項５に記載の複写装置。
【請求項７】
前記情報記録媒体を搭載する原稿台に紫外線に対して遮光性を有する部材からなる圧板を備えることを特徴とする請求項６に記載の複写装置。
【請求項８】
前記圧板が原稿台に密着していない状態では外部刺激印加部が動作しない機構が設けられたことを特徴とする請求項７に記載の複写装置。
【発明の詳細な説明】
【技術分野】
【０００１】
本発明は、特定の機密文書の複写を実質的に不可能にして情報の持ち出しを防止する、複写防止処理された情報記録媒体、複写防止方法および複写装置に関するものである。
【背景技術】
【０００２】
機密情報が記載された紙文書は、多くの場合持ち出しおよび複製禁止の条件下で、限定された範囲内において取り扱われるが、それでもなお不正な複製などによってそれらの情報がそのままの形で流出することも多く、機密文書の流出が企業や官公庁などにおいても問題視されている。例えば、防衛庁においては、機密文書の外部への持ち出しを防ぐために、すでに広く普及している万引き防止システムを応用した方法の導入を進めるなどの対策がとられている。
【０００３】
しかしながら、複写防止に当たって要求される、以下に示すような条件を満たすことが難しいために不正な複製に対する適切な措置はいまだとられていないのが現状である。
（１）文書側に施す処置によって、文書作成の作業性が損なわれないこと。
（２）文書側に施す処置によって、作成した文書の視認性、扱い易さなどが損なわれないこと。
（３）実質的に機密情報が複写されないこと。
（４）複写装置に施す処置によって一般文書の複写の作業性が損なわれないこと。
（５）文書側および複写装置に要する処置が簡単であり、大きなコスト増を伴わないこと。
【０００４】
ところで、不正な複写行為を防止することに関する技術は、以下に各分類に示すようにこれまでに数多く提案されている。
（Ａ）複写すると、原稿における背景色が変化したり、あるいは一様な濃度の背景が、グラデーションがかけられたように変化したりして、複写物であることが明確に認識される（例えば、特許文献１〜３参照。）。
【０００５】
（Ｂ）複写すると、原稿においては目立たなかった潜像が顕像化してはっきりと現れ、複写物であることが明確に認識される（例えば、特許文献４〜１１参照。）。
【０００６】
（Ｃ）原稿作成において用いる色の選択等により、色相あるいは明度の差異から、視覚的には情報が認識できるが、複写機の出力においてはそれらの差異がなくなって情報が認識できなくなるようにする（例えば、特許文献１２，１３参照。）。
【０００７】
（Ｄ）原稿作成用の用紙として、背景に予め特定の画像パターンを目立たない形態で入力した用紙を用いて原稿を作成し、複写装置側で前記画像パターンを検出した場合に複写動作を停止する（例えば、特許文献１４参照。）。
【０００８】
（Ｅ）原稿作成時に、背景あるいは画像中に特定の画像パターンを目立たない形態で併せて入力し、複写装置側で前記画像パターンを検出した場合に複写動作を停止する（例えば、特許文献１５〜１７参照。）。
【０００９】
【特許文献１】特開平９−２００６０号公報
【特許文献２】特開平９−２６７５４３号公報
【特許文献３】特開平１１−３４４７５号公報
【特許文献４】特開平６−２３６１２９号公報
【特許文献５】特開平７−７６１９５号公報
【特許文献６】特開平９−１０９５４３号公報
【特許文献７】特開平１０−１１９４１６号公報
【特許文献８】特開平１０−２７８４０８号公報
【特許文献９】特開２００１−１８５１６号公報
【特許文献１０】特開２００２−２００８３５号公報
【特許文献１１】特開２００３−５４１０６号公報
【特許文献１２】実開平７−５７４９号公報
【特許文献１３】実開平５−７３６６２号公報
【特許文献１４】特開平６−２５０５６８号公報
【特許文献１５】特開平６−１６４９１４号公報
【特許文献１６】特開平８−１６３３５７号公報
【特許文献１７】特開２００２−３５４２３９号公報
【発明の開示】
【発明が解決しようとする課題】
【００１０】
しかしながら、以上の提案を上述の（１）〜（５）の条件に照らして考えると、提案（Ａ）および（Ｂ）は複写物に複写行為をしたことの証拠が残るものの機密情報が実質的に複写されてしまうので適切でない。また、提案（Ｃ）は機密情報の実質的な複写を防ぐために原稿となる機密文書の視認性や取り扱い性を著しく損なってしまうのでこれも適切でない。さらに、提案（Ｄ）および（Ｅ）は複写装置側に、文書における特定画像の有無の認識および動作停止の制御のための機構を設ける必要があり、コストの点で適切とは言いがたい。このように複写防止に関して先に述べた問題点に対して満足できる対策は得られていないのが実状であった。
【００１１】
本発明は、以上の従来技術における問題に鑑みてなされたものであり、機密文書の複写防止に関して、機密文書作成時の作業性、作成した機密文書の視認性、扱い安さなどを損なわず、また複写防止の対象としない他の一般文書の複写の作業性を損なわない、複写防止処理された情報記録媒体、複写防止方法および複写装置を提供することを目的とする。
【課題を解決するための手段】
【００１２】
前記課題を解決するために提供する本発明は、可視情報が記録された媒体の記録面全面または一部に、外部刺激により発色する発色層が設けられたことを特徴とする複写防止処理された情報記録媒体である（請求項１）。
【００１３】
ここで、前記発色層は、フォトクロミック化合物を含有していることが好ましい。
また、前記外部刺激が紫外光であることが好適である。
【００１４】
請求項１乃至３のいずれか一項に記載の複写防止処理された情報記録媒体について可視情報が読み取られる前に、外部刺激を加えて前記発色層を発色させることにより、該情報記録媒体に記録されている可視情報の複写を防止することを特徴とする複写防止方法である（請求項４）。
【００１５】
前記課題を解決するために提供する本発明は、情報記録媒体の可視情報を読み取る情報読み取り部を備え、該情報読み取り部の読み取り情報に基づいて複写を行なう複写装置において、前記情報記録媒体に外部刺激を加える外部刺激印加部を備え、請求項１乃至３のいずれか一項に記載の複写防止処理された情報記録媒体について前記情報読み取り部が可視情報を読み取る前に、前記外部刺激印加部が外部刺激を加えて発色層を発色させることを特徴とする複写装置である（請求項５）。
【００１６】
ここで、前記外部刺激印加部は、紫外線照射手段を有することが好ましい。また、この場合、前記情報記録媒体を搭載する原稿台に紫外線に対して遮光性を有する部材からなる圧板を備えることが好ましく、前記圧板が原稿台に密着していない状態では外部刺激印加部が動作しない機構を設けるとよい。
【発明の効果】
【００１７】
請求項１の発明によれば、複写防止の処理を行なっても通常の状態においては文書の視認性を損なうことがなく、見やすい文書が得られる。一方、発色層を発色させることにより複写を防止することができる。また、複写を防止したい情報記載部分のみに発色層を形成すればよく、発色層の形成も簡単に行なえ、コスト低減および省資源にもつながる。
請求項２の発明によれば、発色層の着色状態の色相を黒に設定できるので、モノクロの複写装置のみならず、カラーの複写装置に対しても対応可能な複写防止が実現できる。また着色状態に変化した発色層を無色透明状態に戻すための特別な機構が不要となり、コスト低減につながる。
請求項３の発明によれば、紫外光は複写防止の対象としない一般文書に対しては照射しても影響を及ぼさないため、複写の作業性を損なうことがない。
請求項４の発明によれば、情報記録媒体についてスキャンナーなどで情報を読み取っても本来の可視情報に発色した発色層が重なった状態しか読み取れないため、複写しても該可視情報を判読することができず、複写防止することが可能となる。
請求項５〜８の発明によれば、発色層が発色した状態で情報記録媒体が読み取られるために本来の可視情報に発色した発色層が重なった状態の表面情報しか得られず、複写しても該可視情報を判読することができず、複写防止することが可能となる。また、一般の情報記録媒体については表面状態は変わらないので従来と同様の複写が可能である。また、請求項７，８の発明によれば装置からの紫外光漏れを防ぐことができ、使用者の安全を確保することが可能である。
【発明を実施するための最良の形態】
【００１８】
以下に、本発明の構成について説明する。
（複写防止処理された情報記録媒体）
図１は、本発明に係る複写防止処理された情報記録媒体の構成を示す断面図である。
図１に示すように、複写防止処理された情報記録媒体１０は、媒体１上に文字及び／または画像情報が印刷されてなる情報記録層２と、外部刺激により発色する発色層４とが順次形成された構成である。
【００１９】
媒体１は、通常の文書作成に好適に用いられる紙、コート紙などの他にプラスチックベースのシート類などでよい。
【００２０】
情報記録層２は、複写防止対象となる印刷層であり、構成材料や形成方法などはとくに制約はない。あるいは手書きなどによって記載された情報でもよい。
【００２１】
発色層３は、外部刺激の印加条件によって無色透明の状態と着色状態とを切り替えることが可能な発消色材料を、必要に応じてバインダーや溶媒などを用いて溶液の状態にするなどして前記媒体１及び／又は情報記録層２上に塗布することにより形成される。これを複写防止処理と称する。また、発色層３の形成範囲として、媒体１の情報記録層２が形成される面全面、あるいは機密情報記載部分に当たる情報記録層２の一部に必要に応じて形成されればよい。また、前記塗布の方法に特別な制約はなく、噴霧的方法でもキャスト的方法でもよい。例えば塗布液が封入された容器の一端に設けられたフェルト状の塗布部材に、塗布液が少量ずつ供給され、媒体１及び／又は情報記録層２上に前記塗布部材を当接させながら移動させて塗布する塗布器具などを用いてもよく、前記塗布部材のサイズにより全面塗布に好適なもの、あるいは部分塗布に好適なものというように使い分けてもよい。
【００２２】
発色層３に含有される発消色材料は、無色透明状態と着色状態とが外部刺激によって切り替えられる材料であればよく、熱の印加条件によって両状態の切り替えが可能なサーモクロミック材料、電流の印加条件によって切り替えが可能なエレクトロクロミック材料、光の照射条件によって切り替えが可能なフォトクロミック材料などが挙げられる。
【００２３】
このうち、とくに前記発消色材料としてフォトクロミック化合物を用いることが好ましい。フォトクロミック化合物は、紫外光の照射により発色して着色状態となり、その状態に可視光を照射すると消色して無色透明状態に戻り、これら両状態間の変化を何度も繰り返すことができる。フォトクロミック化合物の種類により発色して着色した状態の色は様々であり、１種類のみを用いる場合でも必要とする色に従って化合物を選択することができるし、さらに着色した状態の色相が異なる複数の化合物を混合して用いることにより、任意の所望する色を得ることができる。
【００２４】
また、着色状態から無色透明状態に戻る過程は、前述のように可視光を照射することにより生じるが、熱可逆型と呼ばれるタイプの化合物においては可視光の照射以外に加熱によっても生じ、さらに常温においても（つまり何もしなくても自然に）生じるものもある。従って複写を試みて紫外光が照射され、着色状態に変化してしまった機密文書の発色層３は、通常環境下の照明光によって、あるいは用いる化合物によっては暗所においても自然に元の無色透明状態に戻るので、着色状態に変化してしまった発色層を元の無色透明状態に戻すための特別な機構を設ける必要がない。
【００２５】
本発明において用いることができるフォトクロミック化合物を以下に例示する。
着色状態において青紫、青、緑などの色を示すものとして、２−［１−（１，２，５−トリメチル−３−ピロリル）エチリデン］−３−イソプロピリデンコハク酸無水物、２−［１−（２，５−ジメチル−１−フェニル−３−ピロリル）エチリデン］−３−イソプロピリデンコハク酸無水物、２−［１−（２，５−ジメチル−１−アニシル−３−ピロリル）エチリデン］−３−イソプロピリデンコハク酸無水物、２−［２，６−ジメチル−３，５−ビス（ｐ−ジメチルアミノスチリル）ベンジリデン］−３−イソプロピリデンコハク酸無水物、２−［３，５−ビス（１−ｐ−ジエチルアミノフェニル）−１，３−ブタジエニル］−２，６−ジメチルベンジリデン−３−イソプロピリデンコハク酸無水物、２−［２，６−ジメチル−３−（ｐ−ジメチルアミノスチリル）−５−スチリルベンジリデン］−３−イソプロピリデンコハク酸無水物、２−［１−（１−フェニル−２，５−ジメチル−３−ピロリル）エチリデン］−３−イソプロピリデンコハク酸無水物、１，２−ビス（５−フェニル−２−メチル−３−チエニル）−３，３，４，４，５，５−ヘキサフルオロシクロペンテン、１−（５−メトキシ−１，２−ジメチル−３−インドリル）−２−（５−シアノ−２，４−ジメチル−３−チエニル）−３，３，４，４，５，５−ヘキサフルオロシクロペンテン、１−（５−メトキシ−１，２−ジメチル−３−インドリル）−２−（６−カルボキシル−２−メチル−３−ベンゾチエニル）−３，３，４，４，５，５−ヘキサフルオロシクロペンテン、１−（６−シアノ−２−メチル−３−ベンゾチエニル）−２−（５−メトキシ−１，２−ジメチル−３−インドリル）−３，３，４，４，５，５−ヘキサフルオロシクロペンテン、などが挙げられる。さらに熱可逆型のフォトクロミック化合物としては、つぎの構造式のものが挙げられる。
【００２６】
【化１】
2005316303.tif 000003
【００２７】
また、着色状態において赤、赤紫、紫などの色を示すものとして、２−［１−（２−シアノ−１，５−ジメチル−３−ピロリル）エチリデン］−３−イソプロピリデンコハク酸無水物、２−［１−（１，３，５−トリメチル−４−ピラゾリル）エチリデン］−３−イソプロピリデンコハク酸無水物、２−［１−（２，５−ジメチル−１−フェニルピラゾリル）エチリデン］−３−イソプロピリデンコハク酸無水物、２−［１−（３−メトキシ−５−メチル−１−フェニル−４−ピラゾリル）エチリデン］−３−イソプロピリデンコハク酸無水物、２−［１−（１，２−ジメチル−３−インドリル）エチリデン］−３−イソプロピリデンコハク酸無水物、２−［１−（２−メチル−５−スチリル−３−チエニル）エチリデン］−３−イソプロピリデンコハク酸無水物、２−［１−（２−メチル−５−ジエチルアミノスチリル−３−チエニル）メチリデン］−３−イソプロピリデンコハク酸無水物、２−［１−（５−メチル−２−ｐ−ジメチルアミノフェニル−４−オキサゾリル）エチリデン］−３−イソプロピリデンコハク酸無水物、２−［１−（５−メチル−２−ｐ−ジメチルアミノスチリル−４−オキサゾリル）エチリデン］−３−イソプロピリデンコハク酸無水物、２−［１−（５−メチル−（４−ｐ−ジメチルアミノフェニル）ブタジエン−１−イル）−４−オキサゾリル］エチリデン］−３−イソプロピリデンコハク酸無水物、２−［１−（２，５−ジメチル−３−チエニル）エチリデン］−３−イソプロピリデンコハク酸無水物、１−（３−（２−メチル−６−（２−（４−メトキシフェニル）エチニル）ベンゾチエニル））−２−（３−（２，４−ジメチル−５−（２−（４−メトキシフェニル）エチニル）チエニル））−３，３，４，４，５，５−ヘキサフルオロシクロペンテン、１，２−ビス（５−メチル−２−フェニルチアゾ−ル）−３，３，４，４，５，５−ヘキサフルオロシクロペンテン、１−（１，２−ジメチル−３−インドリル）−２−（２−メチル−３−ベンゾチエニル）−３，３，４，４，５，５−ヘキサフルオロシクロペンテン、などが挙げられる。さらに熱可逆型のフォトクロミック化合物としては、つぎの構造式のものが挙げられる。
【００２８】
【化２】
2005316303.tif 000004
【００２９】
また、着色状態において黄、オレンジなどの色を示すものとして、２−［１−（２，５−ジメチル−３−フリル）エチリデン］−３−（３−ペンタニリデン）コハク酸無水物、２−［１−（４−アセチル−２，５−ジメチル−３−フリル）エチリデン］−３−イソプロピリデンコハク酸無水物、２−［１−（２，５−ジメチル−３−フリル）エチリデン］−３−イソプロピリデンコハク酸Ｎ−ベンジルイミド、２−［１−（３，５−ジメチル−４−イソオキサゾリル）エチリデン］−３−イソプロピリデンコハク酸無水物、２−［１−（５−メチル−２−フェニル−４−オキサゾリル）エチリデン］−３−イソプロピリデンコハク酸無水物、２−［１−（２−フェニル−５−メチル−４−オキサゾリル）ステアリリデン］−３−イソプロピリデンコハク酸無水物、２−［１−（５−メチル−２−フェニル−４−チアゾリル）エチリデン］−３−イソプロピリデンコハク酸無水物、２−［１−（５−メチル−２−（４−ピリジル）−４−オキサゾリル）エチリデン］−３−イソプロピリデンコハク酸無水物、１，２−ビス（２−フェニル−４−トリフルオロメチルチアゾール）−３，３，４，４，５，５−ヘキサフルオロシクロペンテン、２，３−ジ（２−メチルベンゾチエニル）マレイン酸ジメチル、１，２−ビス（５−エトキシ−２−メチルチアゾ−ル）−３，３，４，４，５，５−ヘキサフルオロシクロペンテンなどが挙げられる。さらに熱可逆型のフォトクロミック化合物としては、つぎの構造式のものが挙げられる。
【００３０】
【化３】
2005316303.tif 000005
【００３１】
上述したように、発色層３に含有されるフォトクロミック化合物は１種類のみを用いてもよいし、複数種類を混合して用いてもよい。１種類のみを用いる場合は着色状態における色相が緑、青、青紫、紫、赤紫、赤、などの明度の小さい色となる化合物を用いることが好ましい。着色状態における色相が黄やオレンジなどの明度が大きな色となる化合物は単独で用いるよりも、前述の異なる色相に着色する化合物と混合して用いることにより、着色状態における明度をより小さくすることが可能になり、従って文書に記載された機密情報を認識しにくくする効果がより大きくなる。
【００３２】
発色層３の形成に際してバインダー材料を用いる場合には、前記フォトクロミック化合物のフォトクロミズム機能に悪影響を与えることがなく、また該フォトクロミック化合物と相溶性が良く、硬化後の透明性に優れる樹脂材料などを用いることが好ましい。このような材料として、例えば、ポリスチレン、ポリエステル、ポリメタクリル酸メチル、塩化ビニル−塩化ビニリデン共重合体、ポリ塩化ビニル、ポリ塩化ビニリデン、ポリ酢酸ビニル、フェノキシ樹脂などが挙げられる。
【００３３】
このような発色層３を形成する複写防止処理済みの情報記録媒体１０は、通常の状態では発色層３が無色透明なため、図２（ａ）に示すように発色層３を形成していない一般文書と全く同様の視認性を有し、媒体１上の情報記録層２の文字及び／又は画像情報（可視情報）を見ることができる。一方、外部刺激が印加されて発色層３が着色した状態においては、図２（ｂ）に示すように情報記録層２の可視情報に発色した発色層３が重なった状態となり可視情報が目視によって判読（認識）できなくなる。従って複写装置によって複写を試みた場合にも、情報が認識できない状態がそのまま複写されることになる。
【００３４】
（複写装置）
次に、本発明に係る複写装置の構成について説明する。
図３は、本発明に係る複写装置の実施の形態における構成を示す概略図である。
図３に示すように、複写装置１００は、複写の原稿となる情報記録媒体を載せる原稿台１１と、原稿台１１上の情報記録媒体へ外部刺激を加える外部刺激印加部１２と、該情報記録媒体の可視情報を読み取る情報読み取り部１３と、情報読み取り部１３の読み取り情報に基づいて複写印刷を行なう複写印刷部１４とを備える。
【００３５】
本発明の特徴的な部分は、外部刺激印加部１２を備えていることである。この外部刺激印加部１２は、上記発色層３が着色状態に変化するための外部刺激を加える機構を有する。
例えば、発色層３がフォトクロミック化合物を含有する構成の場合には、外部刺激印加部１２は原稿台１１上の情報記録媒体全面に紫外光を照射することが可能な紫外光照射手段を備えることが好ましい。
【００３６】
ここで、紫外光の光源としては、ＵＶランプ、高圧水銀ランプ、ブラックライト、ＵＶ−ＬＥＤなどを、必要に応じて各種光学フィルターにより不要な波長領域の光をカットして用いることができる。
【００３７】
また、情報記録媒体全面に紫外光を照射するための方法としては、光源素子を並べて配置したりあるいは必要に応じてミラーやレンズなどの光学系を介することにより、原稿全面を同時に照射するような構成にしてもよい。あるいは、図４に示すように、原稿台１１上の情報記録媒体１０の一部分に対して照射する光源１２Ｌを、情報記録媒体１０の表面に沿って連続的にあるいは不連続的に移動させることにより情報記録媒体１０全面に紫外線を照射するような構成にしてもよい。
【００３８】
また、図５に示すように、紫外線に対して遮光性を有する部材からなり、原稿台１１に情報記録媒体を密着させるための圧板１５を備え、圧板１５が原稿台１１に密着していない状態では外部刺激印加部１２が動作しない機構を設けることが好ましい。
【００３９】
すなわち、通常の複写装置における圧板は、原稿台に原稿を密着させるとともに原稿読み取りのための照射光の装置外への漏れを防ぐ機能も兼ねているが、本発明ではそれに加えて使用者の安全のために前述の紫外光に対しても同様に装置外への漏れを防ぐことが必要になる。そこで圧板１５を紫外光に対しても遮光性を有する部材で構成し、さらに圧板１５が原稿台１１に密着していない状態では動作しない機構を設けることで、圧板１５を適正に用いないで複写装置を動作させてしまうことによる、不意の紫外光漏れを防ぐことが可能とするものである。
【００４０】
なお、原稿台１１、情報読み取り部１３、複写印刷部１４は、従来公知の構成でよく、例えば原稿台１１は光学的に透明なガラス板、情報読み取り部１３は光学読み取り方式のスキャナ、複写印刷部１４はトナー定着方式のプリンタであればよい。
【００４１】
つぎに、複写装置１００の動作内容について説明する。複写防止はつぎのように行なわれる。
（ｓ１）複写防止処理された情報記録媒体１０を原稿台１１に搭載する。
（ｓ２）複写スタートスイッチを押す。
（ｓ３）外部刺激印加部１２から情報記録媒体１０の全面に外部刺激が加えられる。これにより、発色層３が着色状態に変化する。
（ｓ４）情報読み取り部１３により、発色層３が着色状態となった情報記録媒体１０の情報が読み取られる。
（ｓ５）複写印刷部１４により、情報読み取り部１３の読み取り情報に基づいて複写印刷が行なわれる。読み取り情報が本来の可視情報（情報記録層２の文字及び／又は画像情報）に発色した発色層が重なった状態の表面情報であるため、本来の可視情報が認識できない状態の複写物ができる。
【００４２】
また、複写防止の仕組みとして、対象とするエリアで使用できる複写装置を本発明の複写装置１００に限定しておくとよい。これにより、前記発色層形成処理を行なっていない一般文書については通常通りに複写が行なわれるが、前記発色層形成処理が行われた機密文書については情報が認識できない状態で複写が行なわれることになる。また、外部刺激印加によって発色層３が着色状態に変化し記載情報が認識できなくなった文書は、発色層３が再び無色透明に戻る条件で外部刺激を印加することによって、記載情報が問題なく認識できる元の状態に戻すことが可能である。
【実施例】
【００４３】
以下に本発明を実際に実施した例を示す。なお、以下に示すものは例示であり、本発明はこれに限定されるものではない。
【００４４】
（実施例１）
（１）複写防止処理された情報記録媒体
フォトクロミック化合物として、１，２−ビス（５−フェニル−２−メチル−３−チエニル）−３，３，４，４，５，５−ヘキサフルオロシクロペンテン（以下ＰＣ１と呼ぶ）を用い、２重量部のＰＣ１と８重量部のポリスチレンを１００重量部のトルエンに溶解させて塗布液を調製した。
ついでコート紙上に文字および画像情報がプリントアウトされた文書の全面にこの塗布液をキャスト法で塗布して発色層を形成して複写防止処理を行なった。形成された発色層は無色透明であるため、文書の見た目は発色層の形成前と何ら変わるところはなかった。
（２）複写装置
リコー製モノクロ複写機（商品名ｉｍａｇｉｏ  Ｎｅｏ  ３５０）をベースとして、原稿台の内側に、ブラックライトが水平方向に移動する機構を設け、原稿全面に紫外光を照射することが可能な複写防止機能付き複写装置を作製した。この装置においてはさらに、原稿を原稿台に密着させる圧板を、可視光に対しても紫外光に対しても遮光性を有する樹脂を用いて作製し、この圧板を原稿台に密着させないと装置が動作しない機構を設けた。さらに複写するためのスイッチを押すとまず原稿全面に紫外光が照射される工程が行なわれるように作製した。
（３）実施結果
前記複写防止処理された文書について、前記複写装置を用いて複写を試みた。すなわち、原稿台に前記文書を置いて圧板で密着させ、複写開始のスイッチを押したところ、出力された複写文書は全面が真っ黒であった。
また、原稿台上の文書を取り出したところ、発色層が着色状態に変化しており、文書は全面が濃紺色を呈していた。この状態の文書を通常の照明下に静置しておいたところ、数時間後には発色層は無色透明状態に戻り、文書の見た目も元に戻った。
【００４５】
（実施例２）
実施例１の条件において、複写装置のベース装置をリコー製カラー複写機（商品名ｉｍａｇｉｏ  Ｃｏｌｏｒ  ５１０５）に変え、それ以外の条件は実施例１と同じとして複写を試みた。すなわち、原稿台に前記文書を置いて圧板で密着させ、複写開始のスイッチを押したところ、出力された複写文書は全面が濃紺色であった。
また、原稿台上の文書を取り出したところ、発色層が着色状態に変化しており、文書は全面が濃紺色を呈していた。この状態の文書を通常の照明下に静置しておいたところ、数時間後には発色層は無色透明状態に戻り、文書の見た目も元に戻った。
【００４６】
（実施例３）
実施例１の条件において、複写防止処理の内容をつぎのように変化させた。
すなわち、フォトクロミック化合物として、２−［１−（５−メチル−２−（４−ピリジル）−４−オキサゾリル）  エチリデン］−３−イソプロピリデンコハク酸無水物（以下ＰＣ２と呼ぶ）、２−［１−（２、５−ジメチル−３−チエニル）エチリデン］−３−イソプロピリデンコハク酸無水物（以下ＰＣ３と呼ぶ）および２−［１−（１−フェニル−２、５−ジメチル−３−ピロリル）エチリデン］−３−イソプロピリデンコハク酸無水物（以下ＰＣ４と呼ぶ）を用い、それぞれ２重量部のＰＣ２、ＰＣ３およびＰＣ４と８重量部のポリスチレンを１００重量部のトルエンに溶解させて塗布液を調製した。
ついで、コート紙上に文字および画像情報がプリントアウトされた文書の全面にこの塗布液をキャスト法で塗布して発色層を形成して複写防止処理を行なった。形成された発色層は無色透明であるため、文書の見た目は発色層の形成前と何ら変わるところはなかった。
【００４７】
この文書について、実施例１と同じ複写装置を用いて複写を試みた。すなわち、原稿台に前記文書を置いて圧板で密着させ、複写開始のスイッチを押したところ、出力された複写文書は全面が真っ黒であった。
また、原稿台上の文書を取り出したところ、発色層が着色状態に変化しており、文書は全面が真っ黒であった。この状態の文書を通常の照明下に静置しておいたところ、数時間後には発色層は無色透明状態に戻り、文書の見た目も元に戻った。
【００４８】
（実施例４）
実施例３の条件において、コート紙上に文字および画像情報がプリントアウトされた文書の特定の箇所にのみ前記実施例３の塗布液をフェルトペン型の塗布器具を用いて塗布して発色層を形成し、それ以外の条件は実施例３と同じとした。なお、形成された発色層は無色透明であるため、文書の見た目は発色層の形成前と何ら変わるところはなかった。
この文書について、実施例１と同じ複写装置を用いて複写を試みた。すなわち、原稿台に前記文書を置いて圧板で密着させ、複写開始のスイッチを押したところ、出力された複写文書は前記塗布駅を塗布した個所だけが真っ黒になっていた。
また、原稿台上の文書を取り出したところ、発色層を形成した部分だけが着色状態に変化して真っ黒になっていた。この状態の文書を通常の照明下に静置しておいたところ、数時間後には発色層は無色透明状態に戻り、文書の見た目も元に戻った。
【００４９】
（実施例５）
実施例１の条件において、複写防止処理の内容をつぎのように変化させた。
すなわち、フォトクロミック化合物として、以下の構造式で表される３つの成分を用い、それぞれ２重量部のＰＣ５、ＰＣ６およびＰＣ７と８重量部のポリスチレンを１００重量部のトルエンに溶解させて塗布液を調製した。
【００５０】
【化４】
2005316303.tif 000006
【００５１】
ついで、コート紙上に文字および画像情報がプリントアウトされた文書の全面にこの塗布液をキャスト法で塗布して発色層を形成して複写防止処理を行なった。形成された発色層は無色透明であるため、文書の見た目は発色層の形成前と何ら変わるところはなかった。
【００５２】
この文書について、実施例１と同じ複写装置を用いて複写を試みた。すなわち、原稿台に前記文書を置いて圧板で密着させ、複写開始のスイッチを押したところ、出力された複写文書は全面が真っ黒であった。
また、原稿台上の文書を取り出したところ、発色層が着色状態に変化しており、文書は全面が真っ黒であった。この状態の文書を暗所下に静置しておいたところ、数時間後には発色層は無色透明状態に戻り、文書の見た目も元に戻った。
【図面の簡単な説明】
【００５３】
【図１】本発明に係る複写防止処理された情報記録媒体の構成を示す断面図である。
【図２】本発明の複写防止処理された情報記録媒体の発色層の発色前後の状態を示す外観図である。
【図３】本発明に係る複写装置の構成を示す概略図である。
【図４】本発明に係る複写装置における外部刺激（紫外光）の印加方法を示す図である。
【図５】本発明に係る複写装置において圧板を付加した構成を示す概略図である。
【符号の説明】
【００５４】
１    媒体
２    情報記録層
３    発色層
１０    複写防止処理された情報記録媒体
１１    原稿台
１２    外部印加部
１２Ｌ    光源
１３    情報読み取り部
１４    複写印刷部
１５    圧板
１００    複写装置
【図１】
2005316303.tif 000007
【図２】
2005316303.tif 000008
【図３】
2005316303.tif 000009
【図４】
2005316303.tif 000010
【図５】
2005316303.tif 000011